(57)【要約】  データ伝送インタフェース装置であって、マルチメディア・データ伝送用のデジタル伝送手段を通じて別のデータ伝送インタフェース装置と通信するデータ伝送インタフェース装置が提供される。データ伝送インタフェース装置は、マルチメディア・データを処理する少なくとも１つのプロセッサ、及び該プロセッサに結合され、複数の第１のマルチメディア・データ・セットを複数の第２のマルチメディア・データ・セットに変換し、複数の第１の補助データ・セットを複数の第２の補助データ・セットに変換するデータ変換回路、を有する。
2011523287.tif 000002
【特許請求の範囲】
【請求項１】
データ伝送インタフェース装置であって、
マルチメディア・データを伝送するデジタル伝送手段を通じ、別のデータ伝送インタフェース装置と通信し、
当該データ伝送インタフェース装置は、
マルチメディア・データを処理するプロセッサ、及び
該プロセッサに結合され、複数の第１のマルチメディア・データ・セットを複数の第２のマルチメディア・データ・セットに変換し、複数の第１の補助データ・セットを複数の第２の補助データ・セットに変換するデータ変換回路、
を有するデータ伝送インタフェース装置。
【請求項２】
前記第１の補助データ・セット及び前記第２の補助データ・セットは、リピート・ファースト・フィールド・フラグ、インターレース・フラグ、動画／静止画情報、トップ／ボトム情報及びビデオ・ミュート・コマンドを有するグループから選択されたビデオ再生拡張情報を有する、
ことを特徴とする請求項１に記載のデータ伝送インタフェース装置。
【請求項３】
前記第１の補助データ・セット及び前記第２の補助データ・セットは、音声等化器情報、低音管理情報、ダイナミック・レンジ制御情報、仮想サラウンド情報、歌詞情報、アルバム情報及び音声ミュート・コマンドを有するグループから選択された音声再生拡張情報を有する、
ことを特徴とする請求項１に記載のデータ伝送インタフェース装置。
【請求項４】
前記第１の補助データ・セット及び前記第２の補助データ・セットは、ＣＧＭＳ−Ａ情報、ＡＰＳ情報、ＸＤＳ情報、Ｇｅｍｓｔａｒ情報、Ｖチップ情報、時間コード情報及びＰＤＣ情報を有するグループから選択されたＶＢＩデータを有する、
ことを特徴とする請求項１に記載のデータ伝送インタフェース装置。
【請求項５】
前記第１の補助データ・セット及び前記第２の補助データ・セットは、字幕情報、サブタイトル情報、データ放送情報、ＥＰＧ情報及びチャネル名情報を有するグループから選択されたビデオ情報を有する、
ことを特徴とする請求項１に記載のデータ伝送インタフェース装置。
【請求項６】
ＨＤＭＩ仕様に準拠する前記デジタル伝送手段は、ＴＭＤＳチャネル、ディスプレイ・データ・チャネル及び消費者電子機器制御チャネルを有するグループから選択される、
ことを特徴とする請求項１に記載のデータ伝送インタフェース装置。
【請求項７】
前記第２の補助データ・セットは、前記ＴＭＤＳチャネルを通じて未定義パケットを介して伝送される、
ことを特徴とする請求項６に記載のデータ伝送インタフェース装置。
【請求項８】
前記第２の補助データ・セットは、前記ＴＭＤＳチャネルを通じて定義されたパケットの予約ビットを介して伝送される、
ことを特徴とする請求項６に記載のデータ伝送インタフェース装置。
【請求項９】
前記第２の補助データ・セットは、前記ディスプレイ・データ・チャネルを通じて伝送される、
ことを特徴とする請求項６に記載のデータ伝送インタフェース装置。
【請求項１０】
前記第２の補助データ・セットは、前記消費者電子機器制御チャネルを通じて伝送される、
ことを特徴とする請求項６に記載のデータ伝送インタフェース装置。
【請求項１１】
マルチメディア・データ・セットは主ビデオ信号又は副画像ビデオ信号に対応し、補助データ・セットは付帯ビデオ・ディスプレイ・データに対応し、複数の該マルチメディア・データ・セットと複数の該補助データ・セットを選択的に結合し、複数の結果として生じるビデオ・データ・セットを生成するビデオ・プロセッサ、及び
該ビデオ・プロセッサに結合され、前記結果として生じたビデオ・データ・セットを変換して複数の変換されたマルチメディア・データ・セットにするデータ変換回路、
を有し、
前記変換されたマルチメディア・データ・セットは、マルチメディア・データ伝送用のデジタル伝送手段を通じて出力される、
ことを特徴とする送信機。
【請求項１２】
前記付帯ビデオ・ディスプレイ・データは、字幕情報、サブタイトル情報、データ放送情報、ＥＰＧ情報及びチャネル名情報を有するグループから選択される、
ことを特徴とする請求項１１に記載の送信機。
【請求項１３】
ＨＤＭＩ仕様に準拠する前記デジタル伝送手段は、ＴＭＤＳチャネルを有する、
ことを特徴とする請求項１１に記載の送信機。
【請求項１４】
マルチメディア・データを伝送する方法であって、
（ａ）ビデオ・データ・セットと、付帯ビデオ・ディスプレイ・データを有する補助データ・セットとを受信する段階、
（ｂ）付帯ビデオ・ディスプレイ・データを前記ビデオ・データ・セットと選択的に結合し、結果として生じるビデオ・データ・セットを生成する段階、
（ｃ）前記結果として生じたビデオ・データ・セットを変換して、変換されたマルチメディア・データ・セットにする段階、
（ｄ）前記段階（ｂ）で前記ビデオ・データ・セットと結合されなかった前記補助データ・セットを変換して、変換された補助データ・セットにする段階、及び
（ｅ）デジタル伝送手段に従い、前記変換されたマルチメディア・データ・セット及び前記変換された補助データ・セットを伝送する段階、
を有する方法。
【請求項１５】
ＨＤＭＩ仕様に準拠する前記デジタル伝送手段は、ＴＭＤＳチャネル、ディスプレイ・データ・チャネル及び消費者電子機器制御チャネルを有するグループから選択される、
ことを特徴とする請求項１４に記載の方法。
【請求項１６】
前記変換された補助データ・セットは、前記ＴＭＤＳチャネルを通じて未定義パケットを介して伝送される、
ことを特徴とする請求項１５に記載の方法。
【請求項１７】
前記変換された補助データ・セットは、前記ＴＭＤＳチャネルを通じて定義されたパケットの予約ビットを介して伝送される、
ことを特徴とする請求項１５に記載の方法。
【請求項１８】
前記変換された補助データ・セットは、前記ディスプレイ・データ・チャネルを通じて伝送される、
ことを特徴とする請求項１５に記載の方法。
【請求項１９】
前記変換された補助データ・セットは、前記消費者電子機器制御チャネルを通じて伝送される、
ことを特徴とする請求項１５に記載の方法。
【発明の詳細な説明】
【技術分野】
【０００１】
本発明は、データの送信／受信に関し、より詳細には高品質マルチメディア・インタフェースを通じてマルチメディア・データを送信／受信する装置及びその方法に関する。
【背景技術】
【０００２】
垂直帰線区間（ＶＢＩ）は、あるフレーム／フィールドの最後の目に見える線と次のレーム／フィールドの最初の目に見える線との間で定められる時間間隔である。この時間間隔の間、送信されるデータは画面に表示されない。アナログ・テレビジョン・システムを例に取ると、垂直帰線区間は、付加情報、つまりＶＢＩデータを伝達するために用いられうる。しかしながら、高解像度ビデオ・ディスプレイの要求により、高度な伝送インタフェースが開発されている。例えば、高解像度マルチメディア・インタフェース（ＨＤＭＩ）は、デジタル・ビジュアル・インタフェース（ＤＶＩ）から発展してきた。ＤＶＩは、一般にコンピュータ・モニタのために利用される。また、ＨＤＭＩは、デジタル消費者電子機器（例えば、デジタルＴＶ、ＤＶＤプレイヤ、ＤＶＤレコーダ、セットトップ・ボックス、及び他のデジタル・ビデオ及び／又はオーディオ製品）のために利用される。一般的には、ＨＤＭＩは、ハイファイ画像及びマルチ・チャネル音声信号を含む高品位マルチメディア・デジタル信号の伝送のために利用される伝送インタフェースである。高品位マルチメディア・インタフェースのいくつかの利点は、限定ではなく、非圧縮デジタル・ビデオ、及び単一のコネクタ／ケーブルのみの使用を含みうる。
【０００３】
しかしながら、現在定められているＨＤＭＩ仕様の第１．３ａ版は、ＶＢＩデータ伝送に完全に対応していない。例えば、現在定められているＨＤＭＩ仕様は、非アクティブなビデオ期間中のアスペクト比情報の伝送のみに対応する。従って、付加ＶＢＩデータ（例えば、字幕、ＣＧＭ−Ａ等）を含むより多くの補助情報を伝送するために高品位マルチメディア・インタフェースを使用することは有利である。
【先行技術文献】
【特許文献】
【０００４】
【特許文献１】中国公開特許第１９１７６５１号明細書
【非特許文献】
【０００５】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ
【発明の概要】
【発明が解決しようとする課題】
【０００６】
従って、本願発明の目的の１つは、高品位マルチメディア・インタフェース（ＨＤＭＩ）を通じて、ビデオ再生拡張情報、音声再生拡張情報、ＶＢＩデータ、又は付帯的なビデオ・ディスプレイ・データのような補助データを送信／受信する装置及び方法を提供することである。
【課題を解決するための手段】
【０００７】
本願発明の一態様によると、データ伝送インタフェース装置が提供される。データ伝送インタフェース装置は、マルチメディア・データ伝送用のデジタル伝送手段を通じて別のデータ伝送インタフェース装置と通信する。データ伝送インタフェース装置は、マルチメディア・データを処理する少なくとも１つのプロセッサ、及び該プロセッサに結合され、複数の第１のマルチメディア・データ・セットを複数の第２のマルチメディア・データ・セットに変換し、複数の第１の補助データ・セットを複数の第２の補助データ・セットに変換するデータ変換回路、を有する。補助情報は、前記第１及び第２の補助データ・セットにより伝達される。
【０００８】
本願発明の別の態様によると、送信機は、マルチメディア・データ・セットは主ビデオ信号又は副画像ビデオ信号に対応し、補助データ・セットは付帯ビデオ・ディスプレイ・データに対応し、複数の該マルチメディア・データ・セットと複数の該補助データ・セットを選択的に結合し、複数の結果として生じるビデオ・データ・セットを生成するビデオ・プロセッサ、及び  該ビデオ・プロセッサに結合され、前記結果として生じたビデオ・データ・セットを変換して複数の変換されたマルチメディア・データ・セットにするデータ変換回路、を有する。変換されたマルチメディア・データ・セットは、マルチメディア・データ伝送用のデジタル伝送手段を通じて出力される。
【０００９】
本願発明の更に別の態様によると、マルチメディア・データを伝送する方法が提供される。方法は、（ａ）ビデオ・データ・セットと、付帯ビデオ・ディスプレイ・データを有する補助データ・セットとを受信する段階、（ｂ）付帯ビデオ・ディスプレイ・データを前記ビデオ・データ・セットと選択的に結合し、結果として生じるビデオ・データ・セットを生成する段階、（ｃ）前記結果として生じたビデオ・データ・セットを変換して、変換されたマルチメディア・データ・セットにする段階、（ｄ）前記段階（ｂ）で前記ビデオ・データ・セットと結合されなかった前記補助データ・セットを変換して、変換された補助データ・セットにする段階、及び（ｅ）デジタル伝送手段に従い、前記変換されたマルチメディア・データ・セット及び前記変換された補助データ・セットを伝送する段階、を有する。
【００１０】
本発明のこれら及び他の目的は、以下の種々の図及びグラフに説明された好適な実施形態の詳細な説明を読むことにより、当業者に明らかである。
【図面の簡単な説明】
【００１１】
【図１】本発明の実施形態によるＨＤＭＩシステムを説明するブロック図である。
【図２】本発明の実施形態による別のＨＤＭＩ送信機を説明する図である。
【図３】本発明の実施形態によるデータ受信方法と連動するデータ送信方法を説明するフローチャートである。
【発明を実施するための形態】
【００１２】
特定の用語は、以下の説明及び請求項を通じて特定の構成要素を参照するために用いられる。当業者は、消費者電子機器製造業者が異なる名称によって１つの構成要素を表すことを理解するだろう。本願明細書は、名称が異なるが機能が異ならない構成要素間を区別しない。以下の議論及び請求項では、用語「有する（including、comprising）」は、制約のない方法で用いられるので、「を有するが、．．．に限定されない」ことを意味すると解釈されるべきである。用語「結合する（couple、couples）」は、間接的又は直接的な電気接続を意味する。従って、第１の装置が第２の装置に結合するという場合、この接続は直接的な電気接続を通じてもよく、他の装置及び接続を介した間接的な電気接続を通じてもよい。
【００１３】
図１は、本発明の実施形態による高度な伝送インタフェース、例えばＨＤＭＩシステム１００を説明するブロック図である。ＨＤＭＩシステム１００は、ソース端（例えば、ＤＶＤプレイヤ、ＤＶＤレコーダ、セットトップ・ボックス、デジタルＴＶ又はＨＤＭＩインタフェースを備えた如何なる電子装置）に配置されたＨＤＭＩ送信機１１０のような複数のデータ送信インタフェース装置、及びシンク端（例えば、ＤＶＤレコーダ、セットトップ・ボックス、デジタルＴＶ又はＨＤＭＩインタフェースを備えた如何なる電子装置）に配置されたＨＤＭＩ受信機１２０を有する。ＨＤＭＩ送信機１１０及びＨＤＭＩ受信機１２０は、ＨＤＭＩケーブルを通じて接続される。図１に示されるように、ＨＤＭＩ送信機１１０は、それぞれ入来するマルチメディア・データ・セットに含まれるビデオ・データ・セット及び音声データ・セットを処理するビデオ・プロセッサ１１２及び音声プロセッサ１１４を有する。留意すべき点は、ビデオ・データ・セットが主ビデオ信号に対応するデータ・セット及び／又はオン・スクリーン・ディスプレイ（ＯＳＤ）のような副画像ビデオ信号に対応するデータ・セットを有してもよいことである。ビデオ・プロセッサ１１２及び音声プロセッサ１１４の出力（つまり、ＨＤＭＩ送信機１１０により送信されるべきデータ・セット）は、ＨＤＭＩ送信機１１０内に実施されたデータ変換回路１１６へ分配される。データ変換回路１１６は、ビデオ・データ・セット（主ビデオ信号及び／又は副画像ビデオ信号に対応する）及び音声データ・セットを有する入来するマルチメディア・データ・セット（つまり、ＨＤＭＩ送信機１１０の第１のマルチメディア・データ・セット）のデータ形式を、ＨＤＭＩ送信機１１０とＨＤＭＩ受信機１２０との間で指定された伝送手段のためにＨＤＭＩ仕様により指定されたデータ形式に変換するよう構成され、それにより、変換されたビデオ・データ・セット（主ビデオ信号及び／又は副画像ビデオ信号に対応する）及び変換された音声データ・セットを有する変換されたマルチメディア・データ・セット（つまり、ＨＤＭＩ送信機１１０の第２のマルチメディア・データ・セット）を生成する。同様に、データ変換回路１１６は、入来する補助データ・セット（つまり、ＨＤＭＩ送信機１１０の第１の補助データ・セット）のデータ形式を、ＨＤＭＩ送信機１１０とＨＤＭＩ受信機１２０との間で指定された伝送手段のためにＨＤＭＩ仕様により指定されたデータ形式に変換するよう構成され、それにより、変換された補助データ・セット（つまり、ＨＤＭＩ送信機１１０の第２の補助データ・セット）を生成する。ＨＤＭＩインタフェースの対応する伝送チャネルを介して伝送されるべきデータを調整するために実施されるデータ形式の変換は、当業者に良く知られているので、簡単のために本願明細書では更なる説明は省略される。最後に、変換されたマルチメディア・データ・セット及び変換された補助データ・セットは、ＨＤＭＩ送信機１１０からＨＤＭＩ受信機１２０へ、複数の物理的伝送線を有するＨＤＭＩケーブルを通じて送信される。本実施形態では、データ変換回路１１６は、遷移時間最短差動信号（Ｔｒａｎｓｉｔｉｏｎ  Ｍｉｎｉｍｉｚｅ���  Ｄｉｆｆｅｒｅｎｔｉａｌ  Ｓｉｇｎａｌｉｎｇ：ＴＭＤＳ）チャネル、ディスプレイ・データ・チャネル（Ｄｉｓｐｌａｙ  Ｄａｔａ  Ｃｈａｎｎｅｌ：ＤＤＣ）、消費者電子機器制御（Ｃｏｎｓｕｍｅｒ  Ｅｌｅｃｔｒｏｎｉｃｓ  Ｃｏｎｔｒｏｌ：ＣＥＣ）チャネル又は如何なる利用可能な予約チャネルのようなＨＤＭＩ仕様により定められたデジタル送信手段を用いて、変換された補助データ・セットを送信するよう構成される。
【００１４】
ＴＭＤＳチャネルは、パケットを介して情報を伝送するとして定められる。当業者に知られているように、ＴＭＤＳチャネルは、ビデオ・データ期間、データ・アイランド期間、及びコントロール期間を含む３つの動作モードのうちの１つで動作する。本実施形態では、変換された補助データ・セットは、上述のデータ・アイランド期間中に、パケット種類の値がＯｘ８６、Ｏｘ８７等のような定義されていない新しいパケット種類又はパケットＯｘ８４等のＰＢ６−ＰＢ２７のような定義された予約ビット／バイトにより伝送されてもよい。別の実施形態では、変換された補助データ・セットは、ＤＤＣチャネルにより伝送されてもよい。ＤＤＣチャネルが変換された補助データ・セットを伝送するために用いられる場合、データ転送はＩ２Ｃプロトコルにより実行される。また、別の実施形態では、変換された補助データ・セットは、ＣＥＣチャネルにより伝送されてもよい。ＣＥＣチャネルが変換された補助データ・セットを伝送するために用いられる場合、データ転送は、オペコードの方法により実行される。ここで、「開始コード（ｓｔａｒｔ  ｃｏｄｅ）」は所望のデータ伝送の始めに置かれ、「メッセージの終了（Ｅｎｄ  ｏｆ  Ｍｅｓｓａｇｅ：ＥＯＭ）」は所望のデータ伝送の終わりに置かれる。これらは、説明のみを目的としており、本発明を限定することを意味しない。
【００１５】
ＨＤＭＩ送信機１１０内のデータ変換回路１１６の対応する例である補助データ・セットは、以下のように分類され詳細に説明される。
【００１６】
（１）ビデオ再生拡張情報
ａ．リピート・ファースト・フィールド・フラグ（ｒｅｐｅａｔ  ｆｉｒｓｔ  ｆｉｅｌｄ  ｆｌａｇ）
ＩＳＯ／ＩＥＣ１３８１８−２６．３．１０を参照すると、このフラグは、再構成されたフレームのディスプレイ・フィールド数を示すために用いられる。このフラグが「０」に設定された場合、フレームは２つのフィールドを有し、第１のフィールドの後に他のフィールドが続く。しかしながら、このフラグが「１」に設定された場合、フレームは３つのフィールドを有し、第１のフィールドの後に他のフィールドが続き、次に第１のフィールドが繰り返される。また、プログレッシブ・シーケンス（Ｐｒｏｇｒｅｓｓｉｖｅ  Ｓｅｑｕｅｎｃｅ）を参照すると、それは３−２プルダウン逆テレシネ検出のために用いられうる。
【００１７】
ｂ．プログレッシブ・シーケンス情報（Ｐｒｏｇｒｅｓｓｉｖｅ  Ｓｅｑｕｅｎｃｅ  Ｉｎｆｏｒｍａｔｉｏｎ）
代表データ・ビットが「１」に設定された場合、符号化されたビデオ・シーケンスは、プログレッシブ・フレーム画像のみを有する。しかしながら、代表データ・ビットが「０」に設定された場合、符号化ビデオ・シーケンスは、フレーム画像又はフィールド画像の両方を有してもよく、フレーム画像はプログレッシブ又はインターレースであってもよい。プログレッシブ・シーケンス情報は、２−２プルダウン検出に利益を与え、クロマ補間アルゴリズムを向上させうる。
【００１８】
ｃ．プログレッシブ・フレーム情報（Ｐｒｏｇｒｅｓｓｉｖｅ  Ｆｒａｍｅ  Ｉｎｆｏｒｍａｔｉｏｎ）
これは、再構成された画像フレームの２つのフィールドが、代表データ・ビットが「１」に設定された場合には同じ時刻からのものであることを示し、代表データ・ビットが「０」に設定された場合には異なる時刻からのものであることを示す。これは、２−２プルダウン検出を助け、クロマ補間アルゴリズムを向上させる。
【００１９】
ｄ．インターレース・フラグ（Ｉｎｔｅｒｌａｃｅ  Ｆｌａｇ）（ｍｐｅｇ４）
これは、再構成された画像フレームの２つのフィールドが、代表データ・ビットが「０」に設定された場合には同じ時刻からのものであることを示し、代表データ・ビットが「１」に設定された場合には異なる時刻からのものであることを示す。これは、２−２プルダウン検出を助け、クロマ補間アルゴリズムを向上させる。
【００２０】
ｅ．動画／静止画情報（Ｍｏｔｉｏｎ／Ｓｔｉｌｌ  Ｉｎｆｏｒｍａｔｉｏｎ）
動画ビデオ又は静止画像（例えば、ＪＰＥＧ、ロゴ、スライドショー）の情報は、ＨＤＭＩ受信機１２０に備えられたシンク端のインターレース解除処理を助けるために、ＨＤＭＩ送信機１１０に備えられたソース端から送信される。
【００２１】
ｆ．トップ／ボトム情報（Ｔｏｐ／Ｂｏｔｔｏｍ  Ｉｎｆｏｒｍａｔｉｏｎ）
トップ／ボトム情報は、プログレッシブ・ビデオ形式で送信される。これは、どちらのフィールドがソース・ビデオ・データかを示し、シンク端が高い計算機能力を有する場合に品質の向上を行うのを助ける。
【００２２】
ｇ．ビデオ・ミュート・コマンド（Ｖｉｄｅｏ  Ｍｕｔｅ  Ｃｏｍｍａｎｄ）
ビデオ・ミュート・コマンドは、ビデオをオフに切り替えるため又はビデオを停止するためにシンク端へ送信される。また、ソース端は、このコマンドを用いて、特殊用途、例えば解像度の変更を行うことができる。
【００２３】
（２）ＶＢＩデータ
ａ．ＣＧＭＳ−Ａ情報（Ｃｏｐｙ  Ｇｅｎｅｒａｔｉｏｎ  Ｍａｎａｇｅｍｅｎｔ  Ｓｙｓｔｅｍ  ｏｎ  Ａｎａｌｏｇ  Ｖｉｄｅｏ  Ｉｎｔｅｒｆａｃｅ）
これは、以下の規則に従う２ビットのセットを有する。
（０，０）  制限無くコピーが許可される。
（０，１）  使用されない状態／コピーできない（コピーワンスが行われている）。
（１，０）  コピーワンスが行われてもよい。
（１，１）  如何なるコピーも許可されない。
【００２４】
ｂ．ＡＰＳ（Ａｎａｌｏｇ  Ｐｒｏｔｅｃｔｉｏｎ  Ｓｙｓｔｅｍ）情報
これは、以下の規則に従う２ビットのセットを有する。
（０，０）  ＰＳＰ（疑似同期パルス）がオフ。
（０，１）  ＰＳＰがオン、スプリット・バーストがオフ。
（０，１）  ＰＳＰがオン、２ラインのスプリット・バーストがオン。
（１，１）  ＰＳＰがオン、４ラインのスプリット・バーストがオン。
【００２５】
ｃ．字幕（拡張データ・サービス、ＸＤＳ）情報
ＥＩＡ／ＣＥＡ−６０８−Ｂを参照すると、拡張データ・サービス（Ｅｘｔｅｎｄｅｄ  Ｄａｔａ  Ｓｅｒｖｉｃｅ：ＸＤＳ）モードは、関連するプログラム及び他の情報を視聴者に供給することを目的としたフィールド２（偶数フィールド）での第３のデータ・サービスである。
【００２６】
ｄ．Ｖチップ（Ｖ−ｃｈｉｐ）情報
これは、テレビジョン受信機の機能である。この機能の使用は、プログラムの格付け分類に基づき該プログラムをブロックすることを可能にする。特に、これは、親が子供のテレビ視聴を管理するために、親による使用を対象としている。
【００２７】
ｅ．時間コード情報（Ｔｉｍｅ  Ｃｏｄｅｌ  Ｉｎｆｏｒｍａｔｉｏｎ）
垂直帰線期間時間コード（Ｖｅｒｔｉｃａｌ  Ｉｎｔｅｒｖａｌ  Ｔｉｍｅ  Ｃｏｄｅ：ＶＩＴＣ）は、両フィールドのビデオ信号の垂直帰線区間内に記録される。
【００２８】
ｆ．テレテキスト（ＶＰＳ／ＰＤＣ）情報
プログラム配信制御（Ｐｒｏｇｒａｍ  Ｄｅｌｉｖｅｒｙ  Ｃｏｎｔｒｏｌ：ＰＤＣ）は、テレテキスト情報を用いたＶＣＲ記録を制御するシステムである。ＰＤＣデータは、ショー又はプログラムが開始するときをレコーダに示す。ＰＤＣをテレテキストを介して伝送する方法は２つある。１つは、目に見えるテレテキスト・ペ―ジにデータを配置し、通常、１６番目の走査線で伝送される。これはビデオ・プログラミング・システム（ＶＰＳ）として知られている。もう１つの方法は、テレテキスト信号内の隠しパケット（２６番目のパケット）にデータを配置する。隠しパケットは、チャネル、プログラム・データ及び開始時間を含む各プログラムに関するデータを有する。
【００２９】
ｇ．Ｇｅｍｓｔａｒ情報
この機能を用い、視聴者は、リモコンを通じて特定のコードを入力することにより、所望のケーブルＴＶプログラムを記録できる。
【００３０】
（３）音声再生拡張情報
ａ．音声等化器情報
これは、選択された周波数帯の音声出力に適用される等化器を制御するために用いられる。
【００３１】
ｂ．低音管理情報
これは、例えば２０Ｈｚから１２０Ｈｚまでの低周波数帯の信号成分を再生のためにサブウーファ又は大規模スピーカへ向けるために用いられる。
【００３２】
ｃ．ダイナミック・レンジ制御情報
これは、音声再生に関連するダイナミック・レンジを制御し、それにより音量を自動的に増大又は低減するために用いられる。
【００３３】
ｄ．仮想サラウンド情報
これは、２つのスピーカを制御して、聴取者に仮想サラウンド効果を提供するために用いられる。
【００３４】
ｅ．歌詞／アルバム情報
これは、歌詞情報又はアルバム情報をシンク端へ伝達するために用いられる。
【００３５】
ｆ．音声ミュート・コマンド（Ｖｉｄｅｏ  Ｍｕｔｅ  Ｃｏｍｍａｎｄ）
音声ミュート・コマンドは、音声をオフに切り替えるため又は音声を消すためにシンク端へ送信される。ソース端は、このコマンドを用いて、特殊用途、例えば音声サンプリング・レートの変更を行うことができる。
【００３６】
（４）付帯ビデオ・ディスプレイ・データ
ａ．字幕
これは、聴覚障害者のためのものである。字幕及び文字は、垂直帰線区間中に伝送される。
【００３７】
ｂ．テレテキスト（サブタイトル／データ放送）
サブタイトルは、字幕に似ている。「開かれた」サブタイトルは伝送の前に文字を画像に直接挿入することであり、「閉じられた」サブタイトルは画像とは別に伝送される。データ放送は、個人向け受信機へ情報を送信するために用いられてもよい。例えば、典型的なアプリケーションは、リアルタイムの金融情報、ホテル及び旅行代理店のための空港の運航計画、鉄道のための乗客案内、ソフトウェア更新等を含む。
【００３８】
ｃ．ＥＰＧ
電子番組案内は、予定された放送テレビ番組の画面上の案内であり、視聴者にリモコンの使用を通じて時間、題名、チャネル、ジャンル等によりプログラム・コンテンツをナビゲート、選択及び発見させる。
【００３９】
ｄ．チャネル名
これは、デジタルＴＶプログラムのプログラム名を伝達するために用いられる。
【００４０】
本発明の例である実施形態では、データ変換回路１１６は、補助データ・セットが上述のビデオ再生拡張情報、音声再生拡張情報、ＶＢＩデータ又は付帯ビデオ・ディスプレイ・データを伝達すると検出したとき、補助データ・セット（つまり、第１の補助データ・セット）を対応する変換された補助データ・セット（つまり、第２の補助データ・セット）に変換するように設計される。留意すべき点は、上述の付帯ビデオ・ディスプレイ・データが、主ビデオ信号及び副画像ビデオ信号に対応するデータ・セットを有するビデオ・データ・セットと一緒に表示されてもよいことである。
【００４１】
ＨＤＭＩ受信機１２０に関し、ＨＤＭＩ受信機１２０は、データ変換回路１２６、ビデオ・プロセッサ１２２、及び音声プロセッサ１２４を有する。ＨＤＭＩ受信機１２０内のデータ変換回路１２６は、ＨＤＭＩ送信機１１０内のデータ変換回路１１６により実行されたデータ変換の逆の処理を実行し、データ・セットを元のデータ形式に復元する。つまり、データ変換回路１２６は、変換されたマルチメディア・データ・セット及び変換された補助データ・セットをＨＤＭＩ送信機１１０からＨＤＭＩケーブルを通じて受信するためのものである。次に、データ変換回路１２６は、それぞれビデオ・プロセッサ１２２及び音声プロセッサ１２４へのビデオ・データ・セット及び音声データ・セットを有する変換されたマルチメディア・データ・セット（つまり、ＨＤＭＩ受信機１２０の第１のマルチメディア・データ・セット）を処理して、対応するマルチメディア・データ・セット（つまり、ＨＤＭＩ受信機１２０の第２のマルチメディア・データ・セット）にする。
【００４２】
また、データ変換回路１２６は、更に、変換された補助データ・セット（つまり、ＨＤＭＩ受信機１２０の第１の補助データ・セット）を処理して、対応する補助データ・セット（つまり、ＨＤＭＩ受信機１２０の第２の補助データ・セット）にする。本実施形態では、データ変換回路１２６は、ＨＤＭＩ送信機１１０から変換された補助データ・セットを受信したとき、変換された補助データ・セットを対応する補助データ・セットに転換するよう設計される。更に、例である実施形態では、データ変換回路１２６から生成された補助データ・セットは、ビデオ・プロセッサ１１２及び音声プロセッサ１２４でのデータ処理を支援するために、ビデオ・プロセッサ１１２及び音声プロセッサ１２４へ更に転送される。何故なら、補助データ・セットは、上述のビデオ再生拡張情報、音声再生拡張情報、ＶＢＩデータ又は付帯ビデオ・ディスプレイ・データを伝達しうるからである。
【００４３】
本発明の実施形態として、ビデオ・データ・セット及び音声データ・セットを有するマルチメディア・データ・セットに加え、上述の付帯ビデオ・ディスプレイ・データが、ＨＤＭＩ送信機１１０からＨＤＭＩ受信機１２０へ伝送される。本発明の別の実施形態では、付帯ビデオ・ディスプレイ・データの前処理が実施される。  図２は、本発明の実施形態による別のＨＤＭＩ送信機２１０を説明する図である。ＨＤＭＩ送信機２１０は、ビデオ・プロセッサ２１２、音声プロセッサ２１４、及びデータ変換回路２１６を有する。図２に示されるＨＤＭＩ送信機２１０の構成は、図１に示されたＨＤＭＩ送信機１１０の構成と同様である。主な違いは、ビデオ・プロセッサ２１２が、ビデオ・データ・セット及び字幕情報、サブタイトル情報、データ放送情報、ＥＰＧ情報又はチャネル名情報のような付帯ビデオ・ディスプレイ・データを結合して、結果として生じるビデオ・データ・セットを生成するように実施されうることである。ある実施では、字幕情報、サブタイトル情報、データ放送情報、ＥＰＧ情報及びチャネル名情報を伝達する全ての付帯ビデオ・ディスプレイ・データは、ビデオ・プロセッサ２１２へ転送され、次にビデオ・データ・セットと結合される。結果として生じたビデオ・データ・セットは、主ビデオ信号及び付帯ビデオ・ディスプレイ・データに対応するデータ・セット、及び／又は副画像ビデオ信号に対応するデータ・セット、及び副画像ビデオ信号に対応する付帯ビデオ・ディスプレイ・データを有してもよい。次に、データ変換回路２１６は、結果として生じたビデオ・データ・セット、音声データ・セット、及び補助データ・セットを変換して、変換されたマルチメディア・データ・セットにする。次に、データ変換回路２１６は、変換されたマルチメディア・データ・セットをＨＤＭＩ送信機（示されない）へ出力する。本実施形態では、付帯ビデオ・ディスプレイ・データは、ＯＳＤ画像データとして機能し、ビデオ・プロセッサ２１２によりビデオ・データ・セットと結合される。しかしながら、これは、本発明の限定を意味しない。留意すべき点は、図２に示されるデータ変換回路２１６が、依然として、ビデオ再生拡張情報、音声再生拡張情報、及びＶＢＩデータを含む他の補助データ・セットを処理して、変換された補助データ・セットを形成することが可能であることである。
【００４４】
本発明の別の実施形態では、付帯ビデオ・ディスプレイ・データの一部、例えばチャネル名又はＥＰＧは、データ変換回路２１６により変換され、変換された補助データ・セットに含まれる変換された付帯ビデオ・ディスプレイ・データを形成してもよい。一方で、付帯ビデオ・ディスプレイ・データの別の部分、例えば字幕又はテレテキストは、ビデオ・プロセッサ２１２によりビデオ・データ・セットと結合され、結果として生じるビデオ・データ・セットを形成してもよい。次に、結果として生じたビデオ・データ・セット及び音声データ・セットは、変換されて、変換されたマルチメディア・データ・セットになる。換言すると、付帯ビデオ・ディスプレイ・データは、設計要件に依存して、独立して又はビデオ・データ・セットと一緒に伝送されうる。
【００４５】
図３は、本発明の実施形態によるデータ受信方法と連動するデータ送信方法を説明するフローチャートである。結果が実質的に同じであるならば、複数の段階は、図３に示される正確な順序で実施されることに限定されない。例であるフローは、以下の段階を有する。
段階３００：開始
段階３０１：（ビデオ・データ・セット及び／又は音声データ・セットを含む）複数のマルチメディア・データ・セット及び複数の補助データ・セットを受信する。補助データ・セットはビデオ再生拡張情報、音声再生拡張情報、ＶＢＩデータ及び／又は付帯ビデオ・ディスプレイ・データを有する。
段階３０２：設計要件に従い、字幕情報、サブタイトル情報、データ放送情報、ＥＰＧ情報又はチャネル名情報のような少なくとも１種類の付帯ビデオ・ディスプレイ・データを、ビデオ・データ・セット（例えば、主ビデオ信号又は副画像表示のためのビデオ・データ・セット）と選択的に結合し、結果として生じるビデオ・データ・セットを生成する。
段階３０６：結果として生じるビデオ・データ・セット及び音声データ・セットを有するマルチメディア・データ・セットを変換して、変換されたマルチメディア・データ・セットにする。
段階３０８：段階３０２で前処理されなかった補助データ・セットを変換して、複数の変換された補助データ・セットにする。
段階３１２：ＴＤＭＳチャネル、ＤＤＣチャネル又はＣＥＣチャネルのようなＨＤＭＩデータ伝送用のデジタル伝送手段に従い、変換されたマルチメディア・データ・セット及び変換された補助データ・セットを出力する。
段階３１４：ＨＤＭＩデータ伝送用のデジタル伝送手段に従い、変換されたマルチメディア・データ・セット及び変換された補助データ・セットを受信する。
段階３１６：結果として生じたビデオ・データ・セット及び音声データ・セットを有する変換されたマルチメディア・データ・セットを処理して、複数のマルチメディア・データ・セットを復元する。
段階３１８：変換された補助データ・セットを処理して、複数の補助データ・セットを復元する。
段階３２０：終了。
【００４６】
実施形態の動作が以上に詳細に説明されたので、当業者は、以上の開示を読んだ後にフローの詳細を直ちに理解しうる。本願明細書では、簡単のため、更なる説明は省略される。
【００４７】
当業者は、本発明の教示を守りつつ、装置及び方法の多くの変形及び代替がなされ得ることを直ちに理解するだろう。従って、以上の開示は、特許請求の範囲の境界及び範囲によってのみ限定されると見なされるべきである。
【図１】
2011523287.tif 000003
【図２】
2011523287.tif 000004
【図３】
2011523287.tif 000005
【国際調査報告】
2011523287.tif 000006
2011523287.tif 000007
2011523287.tif 000008
2011523287.tif 000009
2011523287.tif 000010
2011523287.tif 000011